(57)【要約】【課題】  かしめ位置の位置ずれを防止すると共に、フェルールの取付作業性を改善することができるフェルールおよびフェルールの取付方法を得る。【解決手段】  光ファイバコード２０の端部において抗張力繊維２２、光ファイバ心線２１、光ファイバ心線２１内の光ファイバ素線２４を順に露出させ、露出させた抗張力繊維２２を外被２３の外側に折り返す。この光ファイバコード２０をフェルール１０の筒状本体１２に挿入して、抗張力繊維２２と光ファイバ心線２１との間にフェルール１０の筒状本体１２内部に設けられている内壁１３を挿入し、光ファイバ心線２０を接着剤１５により筒状本体１２内部に固定すると共に、筒状本体１２における内壁１３に対応する位置に設けられているかしめ部１４をかしめることにより、光ファイバコード２０を固定する。【選択図】  図１
2006084788.tif 000002
【特許請求の範囲】
【請求項１】
光ファイバ心線の周りに抗張力繊維および外被を順に形成してなる光ファイバコードの端部を、内部空間に収納して接続する筒状本体を備えたフェルールであって、
前記抗張力繊維と前記光ファイバ心線との間に前記光ファイバコードの端部側から挿入する内壁を前記筒状本体の内部空間内に二重壁構造で設けたことを特徴とするフェルール。
【請求項２】
前記筒状本体を外側から変形させて前記抗張力繊維および前記外被を前記筒状本体と前記内壁との間でかしめるかしめ部を設けたことを特徴とする請求項１に記載のフェルール。
【請求項３】
光ファイバ心線の周りに抗張力繊維および外被を順に形成してなる光ファイバコードの端部を、内部空間に収納して接続する筒状本体を備えたフェルールの取付方法であって、
前記筒状本体の内部空間に接着剤を充填する工程と、
前記光ファイバコードの端部において前記抗張力繊維、前記光ファイバ心線、光ファイバ心線内の光ファイバ素線を順に露出させる工程と、
露出させた抗張力繊維を前記外被の外側に折り返す工程と、
露出させた前記光ファイバ心線と前記抗張力繊維との間に前記筒状本体の内部空間に二重壁構造で設けられた内壁を挿入しながら前記光ファイバコードを前記内部空間に挿入する工程と、
前記筒状本体における前記内壁に対応した位置に設けたかしめ部をかしめて、前記抗張力繊維および前記外被を前記内壁との間に挟持する工程と、
前記接着剤を硬化させて少なくとも前記光ファイバ素線を前記筒状本体内部に固定する工程と、
を備えたことを特徴とするフェルールの取付方法。
【発明の詳細な説明】
【技術分野】
【０００１】
本発明は、例えば光コネクタを取り付ける際に用いられるフェルールおよびこのフェルールを光ファイバコードに取り付けるためのフェルールの取付方法に関するものである。
【背景技術】
【０００２】
従来より、フェルールの内部に金属筒状体を挿入し、フェルールを外側からかしめて金属筒状体との間に光ファイバコードを固定する技術が開示されている（例えば特許文献１参照）。
すなわち、図３に示すように、このフェルール１００を取り付ける光ファイバコード１０１は、その端部において、外被１０２の内側の抗張力繊維１０３、光ファイバ心線１０４、光ファイバ素線１０５を順に露出させ、切り残した抗張力繊維１０３を外被１０２の外側に折り返して、抗張力繊維１０３と光ファイバ心線１０４との間に金属製のスリーブ１０６を挿入してある。そして、この光ファイバコード１０１をフェルール１００の内部に挿入し、素線挿入領域の穴に注入した接着剤１０７によって光ファイバ素線１０５をフェルール１００に固定すると共に、フェルール１００のスリーブ１０６に対応した位置に設けたかしめ部１０８を外側からかしめて光ファイバコード１０１を固定してある。
【特許文献１】特開２００４−１９１３９７号公報（図１）
【発明の開示】
【発明が解決しようとする課題】
【０００３】
ところで、前述した特許文献１に記載されているフェルール１００では、フェルール１００と別部品である金属製のスリーブ１０６を光ファイバコード１０１に挿入し、このスリーブ１０６の位置においてフェルール１００を外側からかしめている。このため、スリーブ１０６が移動するとかしめ位置がずれる心配がある。また、光ファイバコード１０１の外径が小さく、さらに小さな外径のスリーブ１０６を抗張力繊維１０３と光ファイバ心線１０４との間に挿入する必要があるため、作業が細かく面倒である。
【０００４】
本発明は、前述した問題点に鑑みてなされたものであり、その目的は、かしめ位置の位置ずれを防止すると共に、フェルールの取付作業性を改善することができるフェルールおよびフェルールの取付方法を提供することにある。
【課題を解決するための手段】
【０００５】
前述した目的を達成するために、本発明に係るフェルールは、光ファイバ心線の周りに抗張力繊維および外被を順に形成してなる光ファイバコードの端部を、内部空間に収納して接続する筒状本体を備えたフェルールであって、前記抗張力繊維と前記光ファイバ心線との間に前記光ファイバコードの端部側から挿入する内壁を前記筒状本体の内部空間内に二重壁構造で設けたことを特徴としている。
【０００６】
このように構成されたフェルールにおいては、抗張力繊維と光ファイバ心線との間に光ファイバコードの端部側から挿入する内壁を筒状本体の内部に二重壁構造で設けたので、光ファイバコードを筒状本体に挿入して内壁を抗張力繊維と光ファイバ心線との間に挿入する際の作業性が改善される。また、光ファイバ心線を固定するために注入している接着剤は、内壁に遮られて抗張力繊維に接触しないので、抗張力繊維を伝ってフェルールの外部にしみ出すのを防止することができる。
【０００７】
また、本発明にかかるフェルールは、前記筒状本体を外側から変形させて前記抗張力繊維および前記外被を前記筒状本体と前記内壁との間でかしめるかしめ部を設けたことを特徴としている。
【０００８】
このように構成されたフェルールにおいては、固定されて移動しない内壁に対応した位置にかしめ部を設けてフェルールをかしめるので、抗張力繊維および外被を内壁とフェルールの筒状本体との間で確実に挟持することができる。
【０００９】
また、本発明にかかるフェルールの取付方法は、光ファイバ心線の周りに抗張力繊維および外被を順に形成してなる光ファイバコードの端部を、内部空間に収納して接続する筒状本体を備えたフェルールの取付方法であって、前記筒状本体の内部空間に接着剤を充填する工程と、前記光ファイバコードの端部において前記抗張力繊維、前記光ファイバ心線、光ファイバ心線内の光ファイバ素線を順に露出させる工程と、露出させた抗張力繊維を前記外被の外側に折り返す工程と、露出させた前記光ファイバ心線と前記抗張力繊維との間に前記筒状本体の内部空間に二重壁構造で設けられた内壁を挿入しながら前記光ファイバコードを前記内部空間に挿入する工程と、前記筒状本体における前記内壁に対応した位置に設けたかしめ部をかしめて、前記抗張力繊維および前記外被を前記内壁との間に挟持する工程と、前記接着剤を硬化させて少なくとも前記光ファイバ素線を前記筒状本体内部に固定する工程と、を備えたことを特徴としている。
【００１０】
このように構成されたフェルールの取付方法においては、光ファイバコードの端部において抗張力繊維、光ファイバ心線、光ファイバ心線内の光ファイバ素線を順に露出させ、露出させた抗張力繊維を外被の外側に折り返す。この光ファイバコードをフェルールの筒状本体に挿入して、抗張力繊維と光ファイバ心線との間にフェルールの筒状本体内部に二重壁構造で設けられている内壁を挿入し、光ファイバ心線を接着剤により筒状本体内部に固定すると共に、筒状本体における内壁に対応する位置に設けられているかしめ部をかしめることにより、光ファイバコードを固定する。
【発明の効果】
【００１１】
本発明によれば、抗張力繊維および外被を内壁と筒状本体のかしめ部との間で挟持する際に、内壁がずれるのを防止することができるので、光ファイバコードに確実にフェルールを取り付けることができる。また、内壁がフェルールの筒状本体内部に二重壁構造で設けられているので、内壁を抗張力繊維と光ファイバ心線との間に容易に挿入することができると共に、光ファイバ心線を筒状本体に固定するための接着剤が、抗張力繊維を伝って外部にしみ出るのを防止することができる。
【発明を実施するための最良の形態】
【００１２】
以下、本発明に係る好適な実施の形態を図面に基づいて詳細に説明する。
図１は本発明のフェルールに係る一実施の形態を示す断面図である。以下、フェルールは金属製である場合を例に説明するが、本発明はこれに限定するものではなく、かしめの効く材質であれば何でも良く、合成樹脂製とすることもできる。
【００１３】
図１に示すように、本発明のフェルール１０は、光ファイバ心線２１の周りに抗張力繊維２２および外被２３を順に形成してなる光ファイバコード２０の端部を、内部空間１１（図２（Ａ）参照）に収納して接続する金属製の筒状本体１２を備えたものであって、抗張力繊維２２と光ファイバ心線２１との間に光ファイバコード２０の端部側から挿入する筒状の内壁１３を筒状本体１２の内部空間１１に二重壁構造で設けたものである。
【００１４】
フェルール１０の内部空間１１は、光ファイバ心線２１内の光ファイバ素線２４を挿通する細径の先端穴１１ａと、光ファイバ素線２４および光ファイバ心線２１を収納して固定するための中径の光ファイバ心線収納部１１ｂと、光ファイバコード２０を収納して固定するための太径の光ファイバコード収納部１１ｃを有している。筒状の内壁１３は光ファイバコード収納部１１ｃに二重壁構造で設けられており、光ファイバ心線収納部１１ｂと同じ内径を有していて、光ファイバコード収納部１１ｃの前端から光ファイバ心線収納部１１ｂを光ファイバコード２０の反挿入方向（図１において右方向）に延設して形成されている。なお、内壁１３の外側には、抗張力繊維２２および外被２３を収納する空間１１ｄ（図２（Ａ）参照）を有している。従って、光ファイバ心線収納部１１ｂと内壁１３の内側は、滑らかに連続している。
【００１５】
そして、フェルール１０は、内壁１３に対応した筒状本体１２の位置に、筒状本体１２を外側から変形させて抗張力繊維２２および外被２３を内壁１３との間でかしめて筒状本体１２に固定するかしめ部１４を設けたものである。
すなわち、フェルール１０の筒状の内壁１３に対応した位置に設けられているかしめ部１４をかしめ具（図示省略）によりかしめて内側に変形させ、筒状本体１２と内壁１３との間に光ファイバコード１１の抗張力繊維２２および外被２３を挟んで固定する。従って、フェルール１０の筒状本体１２としては、かしめ部１４が内側に変形可能なものを用いる。
【００１６】
なお、内部空間１１の光ファイバ心線収納部１１ｂには、光ファイバ素線２４および光ファイバ心線２１を固定するための接着剤１５を充填してあるので、光ファイバ素線２４および光ファイバ心線２１を光ファイバ心線収納部１１ｂに挿入した際に、光ファイバ素線２４および光ファイバ心線１２の体積に対応する接着剤１５が後方に押し出される。しかしながら、内壁１３が抗張力繊維２２と光ファイバ心線２１との間で後方に伸びているため、接着剤１５は抗張力繊維２２には接触しない。このため、接着剤１５が折り返されている抗張力繊維２２を伝ってフェルール１０の外部にしみ出すのを完全に防止している。なお、接着剤３１は、かしめ後に硬化させるようにする。
【００１７】
次に、本発明の実施の形態である光ファイバのフェルール取付方法について説明する。図２（Ａ）〜（Ｆ）には、フェルールの取付工程が示されている。
まず、図２（Ａ）に示すように、前述したフェルール１０の筒状本体１２の内部空間１１に接着剤１５を充填する。ここで内部空間１１とは、例えば、光ファイバ素線２４および光ファイバ心線２１を収容する光ファイバ心線収納部１１ｂとすることができ、この光ファイバ心線収納部１１ｂに接着剤１５を充填する。このとき、光ファイバコード２０をフェルール１０内部に挿入した際に、フェルール１０の先端穴１１ａやフェルール１０の内部空間１１後方から接着剤１５が押し出されない程度の量としておく。
【００１８】
続いて、図２（Ｂ）に示すように、光ファイバコード２０の端部において抗張力繊維２２、光ファイバ心線２１、光ファイバ心線２１内の光ファイバ素線２４を順に露出させ、露出して切り残した抗張力繊維２２を外被２３の外側に折り返す。
すなわち、光ファイバコード２０の端部から所定の長さで外被２３および抗張力繊維２２を切除して光ファイバ素線２４を露出し、さらに所定の長さ外被２３を除去して抗張力繊維２２を露出させる。露出した抗張力繊維２２を外被２３の切れ目から外被２３の外側に折り返す。この場合、折り返す長さは、光ファイバ心線２１の周囲に設けられていた長さのものをそのまま折り返すようにすることができるが、光ファイバ心線２１の長さよりも短くすることも可能である。このとき、光ファイバ心線収納部１１ｂに収納される光ファイバ素線２４および光ファイバ心線２１の長さを適切な長さに設定しておく。
【００１９】
そして、図２（Ｃ）に示すように、以上のようにして端末処理された光ファイバコード２０を内部空間１１に挿入するが、この際、図２（Ｄ）に示すように、露出させた光ファイバ心線２１と抗張力繊維２２との間に筒状の内壁１３を挿入しながら挿入する。内壁１３は、微小な部分であるが、フェルール１０の筒状本体１２内部に一体的に設けられているので、抗張力繊維２２と光ファイバ心線２１との間に容易に挿入することができる。
【００２０】
続いて、図２（Ｅ）に示すように、筒状本体１２における内壁１３に対応した位置に設けたかしめ部１４をかしめて、抗張力繊維２２および外被２３を内壁１３との間に挟持する。そして、最後に、接着剤１５を硬化させて光ファイバ素線２４および光ファイバ心線２１を筒状本体１２内部に固定する。
以上の工程により、図１に示したようなフェルール１０が形成されることになる。
【００２１】
以上、前述したフェルール１０およびフェルールの取付方法によれば、内壁１３がフェルール１０の筒状本体１２の内部に設けられているので、内壁１３を抗張力繊維２２と光ファイバ心線２１との間に容易に挿入することができると共に、光ファイバ素線２４および光ファイバ心線２１を筒状本体１２に固定するための接着剤１５が、抗張力繊維２２を伝って外部にしみ出るのを防止することができる。また、内壁１３が移動しないので、かしめ部１４の位置ずれを防止すると共に、フェルール１０の取付作業性を改善することができる
【００２２】
なお、本発明のフェルールおよびフェルールの取付方法は、前述した実施形態に限定されるものでなく、適宜な変形，改良等が可能である。
例えば、前述した実施の形態においては、最初に接着剤１５をフェルール１０の内部空間１１に充填する場合について説明したが、この接着剤１５の充填は、最初に限らず、光ファイバコード２０を挿入する直前であっても良い。
【００２３】
なお、上記した実施の形態では、内壁１３は筒状として説明したが、必ずしも筒状である必要はなく、例えば、周方向に部分的に形成された形状であっても良い。但し、このような内壁形状であっても、少なくともかしめ部１４に対応した部位は有すると共に、かしめ力に対して変形しない強度を有する必要がある。
【産業上の利用可能性】
【００２４】
以上のように、本発明に係るフェルールおよびフェルールの取付方法は、筒状本体をかしめて光ファイバを取り付けるフェルールおよびフェルールの取付方法に有用である。
【図面の簡単な説明】
【００２５】
【図１】本発明に係るフェルールの一実施の形態を示す断面図である。
【図２】（Ａ）〜（Ｅ）は、本発明に係るフェルールの取付方法の各工程を示す断面図である。
【図３】従来のフェルールを示す断面図である。
【符号の説明】
【００２６】
１０  フェルール
１１  内部空間
１２  筒状本体
１３  内壁
１４  かしめ部
１５  接着剤
２０  光ファイバコード
２１  光ファイバ心線
２２  抗張力繊維
２３  外被
【図１】
2006084788.tif 000003
【図２】
2006084788.tif 000004
【図３】
2006084788.tif 000005